(57)【特許請求の範囲】
【請求項１】
一端が開口設置されるハウジング（１）、端子Ａ（２）及び端子Ｂ（３）を含み、ハウジング（１）の開口端にはカバー（１１）が設けられ、端子Ａ（２）と端子Ｂ（３）とは、お互いに平行にハウジング（１）とカバー（１１）の底板を貫通して設置される新型磁気スイッチであって、前記ハウジング（１）の内室には磁性体（１２）及びタングプレート（５）が設けられており、タングプレート（５）の一端は、端子Ｂ（３）の上端に可動接続し、磁性体（１２）は、タングプレート（５）に昇降可能に設けられ、かつそれと共に連動し、タングプレート（５）の他端は、端子Ａ（２）の上方に設けられており、前記端子Ａ（２）の上端にはアーク消滅装置（４）が設けられ、アーク消滅装置（４）には静止接点（４７）が設けられ、タングプレート（５）の他端には可動接点（５４）が設けられ、
前記アーク消滅装置（４）は、三爪固定フレームを含み、三爪固定フレームは、横方向に端子Ａ（２）の上端に接続し、三爪固定フレームにはアーク消滅板（４１）が設けられ、アーク消滅板（４１）には静止接点（４７）が設けられていることを特徴とする新型磁気スイッチ。
【請求項２】
前記三爪固定フレームは、横方向に端子Ａ（２）の上端に設置して固定される３つの固定爪（４２）を含み、２つの固定爪（４２）は、端子Ａ（２）の上端の一側に設けられ、他の固定爪（４２）は、端子Ａ（２）の上端の他側に設けられ、かつ端子Ａ（２）の一側における２つの固定爪（４２）の間に設けられ、前記アーク消滅板（４１）の両端は、それぞれ、端子Ａ（２）の両側の固定爪（４２）に接続していることを特徴とする請求項１に記載の新型磁気スイッチ。
【請求項３】
前記固定爪（４２）の外端には止め板（４３）が上下方向に設置され、止め板（４３）の内側面には窪んでいる第１角溝（４４）が設けられ、アーク消滅板（４１）の両端の辺縁は、対応して両側の止め板（４３）の第１角溝（４４）に係合していることを特徴とする請求項２に記載の新型磁気スイッチ。
【請求項４】
前記アーク消滅板（４１）は、「回」字状の中空長板状に設置され、アーク消滅板（４１）の内孔には板バネ（４５）が設けられており、前記板バネ（４５）の固定端は、アーク消滅板（４１）の一側板の内縁に接続し、板バネ（４５）の自由端は、アーク消滅板（４１）に自由に跳ねることができ、かつ板バネ（４５）とアーク消滅板（４１）とは、一体に構成して設置され、板バネ（４５）の他端には、タングプレート（５）の他端に対応して設置される固定孔（４６）が設けられ、静止接点（４７）は、固定孔（４６）に接続していることを特徴とする請求項１乃至３のいずれか一項に記載の新型磁気スイッチ。
【請求項５】
前記タングプレート（５）には取付溝（５１）が設けられ、端子Ｂ（３）の上端にはアダプター板（３１）が設けられ、アダプター板（３１）の左端にはウェッジブロック（３４）が設けられ、アダプター板（３１）の右端には、上下方向にピンチプレート（３２）が設けられ、ピンチプレート（３２）の外側面には窪んでいる第２角溝（３３）が設けられ、前記ピンチプレート（３２）は、取付溝（５１）を貫通し、かつ取付溝（５１）の右端のタングプレート（５）の内縁は、第２角溝（３３）に締め付けられ、前記ウェッジブロック（３４）と取付溝（５１）の左端のタングプレート（５）との間には弧度を有する弾性支持板（５５）が設けられていることを特徴とする請求項１に記載の新型磁気スイッチ。
【請求項６】
前記ウェッジブロック（３４）は、「Ｔ」字状構成に設置され、ウェッジブロック（３４）の鉛直板の下端は、アダプター板（３１）に固定接続し、前記弾性支持板（５５）の右端には係止溝（５６）が設けられ、係止溝（５６）は、ウェッジブロック（３４）の鉛直板に締め付け、前記取付溝（５１）の左端のタングプレート（５）には位置決め溝（５２）が設けられ、支持板（５５）の左端には挿入板（５７）が設けられており、挿入板（５７）は、位置決め溝（５２）内を貫通して設置していることを特徴とする請求項５に記載の新型磁気スイッチ。
【請求項７】
前記取付溝（５１）の左端のタングプレート（５）には固定板（５３）が設けられており、磁性体（１２）は、固定板（５３）に設けられてタングプレート（５）と共に連動し、前記固定板（５３）は、銅制の非導磁材料を採用することを特徴とする請求項５に記載の新型磁気スイッチ。
【発明の詳細な説明】
【技術分野】
【０００１】
本発明は磁気近接スイッチの技術分野に関し、特に、新型磁気スイッチに関する。
【背景技術】
【０００２】
従来のリード式磁気近接スイッチは、２．５Ａ電流の使用制限を受けて、新規の無リード式磁気スイッチは、５Ａ、１０Ａの大電流の場合の構成の改良において躍進したが、瞬間的な大電流のフラッシュオーバーを耐えることができず、接点が溶融して、融除して、酸化する問題が存在している。そのため、既存技術は、改良して発展する必要がある。
【発明の概要】
【発明が解決しようとする課題】
【０００３】
本発明の目的は既存技術の欠陥及び不足について、従来の磁気スイッチが瞬間過電流の発生時にフラッシュオーバーして接点が溶融して、融除して、酸化する問題を解決する、アーク消滅装置を有する新型磁気スイッチを提供することである。
【課題を解決するための手段】
【０００４】
本発明の目的は下記の技術方法により実現される。
【０００５】
本発明に記載の新型磁気スイッチは、一端が開口設置されるハウジング、端子Ａ及び端子Ｂを含み、ハウジングの開口端にはカバーが設けられ、端子Ａと端子Ｂとは、お互いに平行にハウジングとカバーの底板を貫通して設置される。前記ハウジングの内室には磁性体及びタングプレートが設けられており、タングプレートの一端は、端子Ｂの上端に可動接続し、磁性体は、タングプレートに昇降可能に設けられ、かつそれと共に連動し、タングプレートの他端は、端子Ａの上方に設けられており、前記端子Ａの上端にはアーク消滅装置が設けられ、アーク消滅装置には静止接点が設けられ、タングプレートの他端には可動接点が設けられている。
【０００６】
さらに、前記アーク消滅装置は、三爪固定フレームを含み、三爪固定フレームは、横方向に端子Ａの上端に接続され、三爪固定フレームにはアーク消滅板が設けられ、アーク消滅板には静止接点が設けられている。
【０００７】
さらに、前記三爪固定フレームは、横方向に端子Ａの上端に設置して固定される３つの固定爪を含み、２つの固定爪は、端子Ａの上端の一側に設けられ、他の固定爪は、端子Ａの上端の他側に設けられ、かつ端子Ａの一側における２つの固定爪の間に設けられる。前記アーク消滅板の両端は、それぞれ、端子Ａの両側の固定爪に接続している。
【０００８】
さらに、前記固定爪の外端には止め板が上下方向に設置され、止め板の内側面には窪んでいる第１角溝が設けられ、アーク消滅板の両端の辺縁は、対応して両側の止め板の第１角溝に係合している。
【０００９】
さらに、前記アーク消滅板は、「回」字状の中空長板状に設置され、アーク消滅板の内孔には板バネが設けられており、前記板バネの固定端は、アーク消滅板の一側板の内縁に接続され、板バネの自由端は、アーク消滅板内に自由に跳ねることができ、かつ板バネとアーク消滅板とは、一体に構成して設置され、板バネの他端には、タングプレートの他端に対応して設置される固定孔が設けられ、静止接点は、固定孔に接続している。
【００１０】
さらに、前記タングプレートには取付溝が設けられ、端子Ｂの上端にはアダプター板が設けられ、アダプター板の左端にはウェッジブロックが設けられ、アダプター板の右端には、上下方向にピンチプレートが設けられ、ピンチプレートの外側面には窪んでいる第２角溝が設けられ、前記ピンチプレートは、取付溝を貫通して設置され、かつ取付溝の右端のタングプレートの内縁は、第２角溝に締め付けられる。前記ウェッジブロックと取付溝の左端のタングプレートとの間には弧度を有する弾性支持板が設けられている。
【００１１】
さらに、前記ウェッジブロックは、「Ｔ」字状構成に設置され、ウェッジブロックの鉛直板の下端は、アダプター板に固定接続され、前記支持板の右端には係止溝が設けられ、係止溝は、ウェッジブロックの鉛直板に締め付けられ、前記取付溝の左端のタングプレートには位置決め溝が設けられ、支持板の左端には挿入板が設けられており、挿入板は、位置決め溝内を貫通して設置している。
【００１２】
さらに、前記取付溝の左端のタングプレートには固定板が設けられており、磁性体は、固定板に設けられてタングプレートと共に連動し、前記固定板は、銅制の非導磁材料を採用する。
【００１３】
本発明は、以下の有益な効果を有する。本発明は、構成が合理的であり、端子Ａにはアーク消滅装置が設けられ、端子Ｂがタングプレートを介して端子Ａに接触（オン）するとき、アーク消滅板により接点の表面が酸化現象を生じることを避け、スイッチの作動安定性及び使用寿命を向上する。アーク消滅板には弧形の板バネが設けられ、負荷が非常に高いとき、板バネは、接点を押付けて分離させ、それにより、磁気スイッチ及び電器の使用安全性を向上し、全体構成のレイアウトがコンパクトであり、組み立てやすく、電気装着標準の要求を満たす。
【図面の簡単な説明】
【００１４】
【図１】本発明の全体の内部構成を示す模式図である。
【００１５】
【図２】本発明の内部組立て構成を示す模式図である。
【００１６】
【図３】本発明のアーク消滅装置の構成を示す模式図である。
【発明を実施するための形態】
【００１７】
以下、図面を参照しながら、さらに、本発明を説明する。
【００１８】
本発明に記載の新型磁気スイッチは、一端が開口設置されるハウジング１、端子Ａ２及び端子Ｂ３を含み、ハウジング１の開口端にはカバー１１が設けられ、端子Ａ２と端子Ｂ３とは、お互いに平行にハウジング１とカバー１１の底板を貫通して設置される。前記ハウジング１の内室には磁性体１２及びタングプレート５が設けられており、タングプレート５の一端は、端子Ｂ３の上端に可動接続し、磁性体１２は、タングプレート５に昇降可能に設けられ、かつそれと共に連動し、タングプレート５の他端は、端子Ａ２の上方に設けられている。前記端子Ａ２の上端にはアーク消滅装置４が設けられ、アーク消滅装置４には静止接点４７が設けられ、タングプレート５の他端には可動接点５４が設けられている。前記部材は、本発明の本体構成であり、常態での端子Ａ２及び端子Ｂ３は、ハウジングを貫通して電極に連通して常開状態になる。タングプレート５の一端は、端子Ｂ３の上端に可動接続し、外部磁性体は、磁性体１２と反発し合うように設置される。外部磁性体が近接するとき、反発力は、磁性体１２を押付けてタングプレート５を下へ回動させ、タングプレート５における可動接点５４とアーク消滅装置４における静止接点４７とは、接触して端子Ａ２と端子Ｂ３をオンにさせ、電流が流れる（オンになる）ときに発生するアーク効果は、アーク消滅装置４を介して除去し、接点が酸化することを避け、本発明の作動安定性及び使用寿命を向上する。
【００１９】
前記アーク消滅装置４は、三爪固定フレームを含み、三爪固定フレームは、横方向に端子Ａ２の上端に接続し、三爪固定フレームにはアーク消滅板４１が設けられ、アーク消滅板４１には静止接点４７が設けられている。アーク消滅板４１における静止接点４７がオンになった後、初期電流が発生する高圧は、アーク消滅板４１を通過し、高電圧アークの接点に対する酸化作用を避ける。
【００２０】
前記三爪固定フレームは、横方向に端子Ａ２の上端に設置して固定される３つの固定爪４２を含み、２つの固定爪４２は、端子Ａ２の上端の一側に設けられ、他の固定爪４２は、端子Ａ２の上端の他側に設けられ、かつ端子Ａ２の一側における２つの固定爪４２の間に設けられ、三爪固定フレームは、端子Ａ２と一体に構成して設置される。前記アーク消滅板４１の両端は、それぞれ、端子Ａ２の両側の固定爪４２に接続している。三个固定爪４２は、端子Ａ２の上端に対向して設置され、アーク消滅板４１は、３つの固定爪４２間に固定され、電流をオンにするときに発生する瞬間アークの接点に対する酸化作用を避ける。
【００２１】
前記固定爪４２の外端には止め板４３が上下方向に設置され、止め板４３の内側面には窪んでいる第１角溝４４が設けられ、アーク消滅板４１の両端の辺縁は、対応して両側の止め板４３の第１角溝４４に係合している。３組の固定爪４２、止め板４３及び止め板における第１角溝４４は、いずれも、端子Ａ２と一体成形して設置される。
【００２２】
前記アーク消滅板４１は、「回」字状の中空長板状に設置され、アーク消滅板４１の内孔には板バネ４５が設けられており、前記板バネ４５の固定端は、アーク消滅板４１の一側板の内縁に接続し、板バネ４５の自由端は、アーク消滅板４１内に自由に跳ねることができ、かつ板バネ４５とアーク消滅板４１とは、一体に構成して設置され、板バネ４５の他端には、タングプレート５の他端に対応して設置される固定孔４６が設けられ、静止接点４７は、固定孔４６に接続している。前記板バネ４５は、感熱性２層材料であり、過負荷で温度が非常に高いとき、板バネ４５は、静止接点４７と可動接点５４とを分離させるように押付けて、それにより回路をオフにして電器の使用安全を保護する。板バネ４５の作動温度の設定は、温度上昇及び環境温度の変換範囲に基づくものであり、その回復温度は、０℃以上に設定されることができ、さらに、回復温度は、２５℃以上に設定され、作動温度は、８０℃以上に設定される。
【００２３】
前記タングプレート５には取付溝５１が設けられ、端子Ｂ３の上端にはアダプター板３１が設けられ、アダプター板３１の左端にはウェッジブロック３４が設けられ、アダプター板３１の右端には、上下方向にピンチプレート３２が設けられ、ピンチプレート３２の外側面には窪んでいる第２角溝３３が設けられ、前記ピンチプレート３２は、取付溝５１を貫通して設置し、かつ取付溝５１の右端のタングプレート５の内縁は、第２角溝３３に締め付けられる。前記ウェッジブロック３４と取付溝５１の左端のタングプレート５との間には弧度を有する弾性支持板５５が設けられている。支持板５５の両端は、それぞれ、取付溝５１の両端に設けられ、かつ支持板５５の一端は、ウェッジブロック３４を介して端子Ｂ３の上端に当接し、支持板５５の他端は、タングプレート５に当接し、それにより、タングプレート５は、端子Ｂ３の上端に上下回動し、かつ支持板５５は、タングプレート５に対して上へ回動する回復支持力を提供する。
【００２４】
前記ウェッジブロック３４は、「Ｔ」字状構成に設置され、ウェッジブロック３４の鉛直板の下端は、アダプター板３１に固定接続し、前記支持板５５の右端には係止溝５６が設けられ、係止溝５６は、ウェッジブロック３４の鉛直板に締め付ける。前記取付溝５１の左端のタングプレート５には位置決め溝５２が設けられ、支持板５５の左端には挿入板５７が設けられており、挿入板５７は、位置決め溝５２内を貫通して設置している。
【００２５】
前記取付溝５１の左端のタングプレート５には固定板５３が設けられており、磁性体１２は、固定板５３に設けられてタングプレート５と共に連動し、前記固定板５３は、銅制の非導磁材料を採用する。
【００２６】
以上、本発明の好ましい実施形態であり、本発明の請求の範囲に記載の構造、特徴及び原理に基づいてなされる均等な変化や、修飾は、いずれも、本発明の請求の範囲に含まれる。
【符号の説明】
【００２７】
１、ハウジング
２、端子Ａ
３、端子Ｂ
４、アーク消滅装置
５、タングプレート
１１、カバー
１２、磁性体
３１、アダプター板
３２、ピンチプレート
３３、第２角溝
３４、ウェッジブロック
４１、アーク消滅板
４２、固定爪
４３、止め板
４４、第１角溝
４５、板バネ
４６、固定孔
４７、静止接点
５１、取付溝
５２、位置決め溝
５３、固定板
５４、可動接点
５５、支持板
５６、係止溝
５７、挿入板
【図１】
0006398009.tif 000002
【図２】
0006398009.tif 000003
【図３】
0006398009.tif 000004